(57)【特許請求の範囲】
【請求項１】
ジャカード機構のハーネスのより糸及び通糸を固定するための取外し可能なカラーにおいて、
このカラーが雌部材（１１）と雄部材（１２）とを備え、雌部材（１１）が弾性変形可能な少なくとも１つのチャック（１３）を備え、このチャックの先端部分がジョー（１３ａ）によって形成されており、雄部材（１２）が尖端部（１２ａ）の後方において、２つの移動止め部の間で軸方向に移動可能なシャットル（１４）を有し、ジョーと相対的な前記シャットルの軸方向の動作によってジョーが開放或いは閉鎖する場合、ジョーが確実に操作され、チャックが閉鎖位置にある場合、前記尖端部（１２ａ）の背面部に対するジョー（１３ａ）の支承範囲が前記尖端部の背面部とほぼ平行であることを特徴とする、カラー。
【請求項２】
チャック（１３）が閉鎖位置にある場合、尖端部（１２ａ）の背面部に対するジョー（１３ａ）の支承範囲がほぼ半径方向であることを特徴とする、請求の範囲第１項に記載のカラー。
【請求項３】
チャック（１３）開放位置にある場合、シャットル（１４）に対する上記ジョー（13ａ）の支承範囲がほぼ軸方向であることを特徴とする、請求の範囲１項に記載のカラー。
【請求項４】
ジョー（１３ａ）がチャック（１３）の湾曲した先端部分から構成されていることを特徴とする、請求の範囲第１項から第４項までのいずれか１つに記載のカラー。
【請求項５】
シャットル（１４）の軸方向の長さ（Ｌ）が、ジョー（１３ａ）の外側の範囲と尖端部（１２ａ）の背面部との間の間隔（ｌ）より大きいことを特徴とする、請求の範囲第１項に記載のカラー。
【請求項６】
２つのジョルダー部（１２ｃ及び１２ｄ）の間の雄部材（１２）の外部の範囲と、雌部材（１１）の内部の範囲との間の半径方向の遊びが、雌部材内に雄部材を軸方向でガイドするために適していることを特徴とする、請求の範囲第１項から第６項までのいずれか１つに記載のカラー。
【請求項７】
面取りがなされた縁部（１４ａ）が尖端部（１２ａ）の方向に向けられたシャットル（１４）の縁部に設けられており、ジョーが開放する方向において、この面取りがなされた縁部がジョー（１３ａ）と相互に作用し合うことに適していることを特徴とする、請求の範囲第１項に記載のカラー。
【請求項８】
ジョー（１３ａ）がシャットル（１４）の外側にある場合、即ち、２つの部材（１１及び１２）が互いに切離しの過程にある場合、尖端部（１２ａ）の最も大きな寸法部分でジョー（１３ａ）の把持を開放させるために、チャック（１３）の端部に設けられたジョー（１３ａ）が面取りがなされた縁部（１４ａ）よりも高い高さを有していることを特徴とする、請求の範囲第８項に記載のカラー。
【請求項９】
チャックが閉鎖位置の場合、円筒部分（１２ｂ）に関連して位置決めされたジョー（１３ａ）の範囲が、シャットル（１４）の面取りがなされた縁部（１４ａ）の方向に拡げられていることを特徴とする、請求の範囲８項に記載のカラー。
【請求項１０】
シャットルのための移動止め部を形成する環状のショルダー部（１２ｃ）と尖端部（１２ａ）との間に設けられた円筒部分（１２ｂ）に弾性変形により係合可能にするため、シャットルが長手方向に割られたロッド（１４）から構成されているとを特徴とする、請求の範囲第１項から第１０項までのいずれか１つに記載のカラー。
【発明の詳細な説明】
本発明は、織機において開口を形成するためのジャカード機構に関し、特に、たて糸を制御するためのジャカード機構の可動操作部材に取付けられたハーネスに関する。
多数のより糸を備えた様式構造のハーネスが知られており、このより糸の数は機構の操作部材の数と同等である。このより糸の各々は、綜目を備えたヘルドに順次固定された、１本或いは幾つかの通糸と固定されている。より糸及び通糸は、調節が非常に困難であるスナップ結合を用いて固定される。従って、修理のために或いは交換のためにハーネスを分解すること、及びその後にハーネスを再組立することは、無数のスナップ結合を取り扱うことを意味するということが理解できる。従って、そのような操作は長時間を要しかつ面倒であり、さらに損失の大きい製造の中断をもたらす。
そこで、本発明の主目的は、上述したような欠点を除去することであり、即ち、１つの部材を軸方向に移動するだけであり、簡単で素早く作業できるように形成されたカラー結合部を使用することによって除去される。
本発明の技術分野より他の技術分野において、例えば、ヨーロッパ特許明細書第197,331号は、尖った端部とシャットルとを有する装身具用の留め具を開示し、この留め具は、織機とは非常に異なった条件の下使用される。
本発明のカラー結合部は２つの部材、即ち、雄部材及び雌部材を備え、これらの部材は、固定されるべきより糸の先端部分及び通糸の先端部分とそれぞれ固定され、一方の部材を軸方向で他方の部材に嵌めることができるようなに固着される。雌部材は、少なくとも１つのチャックを備え、このチャックのジョーは、雄部材の端部に設けられた尖端部の後方で直接雄部材を把持するように形成されている。ジョーが開放或いは閉鎖する場合、雄部材がジョーを確実に操作するために、軸方向に可動可能なスリーブ或いはシャットルが尖端部の後方に備えられている。チャックが閉鎖位置にある場合、尖端部の背面部に対する各ジョーの支承範囲が尖端部の背面部にほぼ平行である。
本発明の有利な利点は、チャックが閉鎖位置である場合、尖端部の背面部に対するチャックの支持範囲がほぼ半径方向である。従って、ジョーに作用する織機と周辺機器の動作のための振動がジョーの撓みを生じる。このことはジョーの幾何学形状に適している。さらに、消耗及び引き裂けの危険、或いはジョーが壊れるという危険もない。何故なら、そのような危険は、ジョーが尖端部の背面部に隆起部或いはその縁部で載っているカラーの場合に存在するためである。従ってジョーは変形し、そして、そのピン状の先端部分が尖端部と繰り返し接触することによってすりきれる。
本発明の他の有利な利点は、チャックが開放位置にある場合、シャットルに対する各ジョーの支承範囲がほぼ軸方向である。このことは、チャックによりシャットルに伝えられる力を半径方向に向ける。即ち、雄部材の静止に関連してシャットルに垂直にする。従って、シャットルがジョーにより加えられる軸方向の力によってずらされることはない。特に、このような力がシャットルを尖端部と相反する方向に動かすという危険はない。
従って、雄部材が雌部材内に完全に差し込まれた際、シャットルの軸方向の長さをジョーの外側の表面と尖端部の背面部との間の間隔より大きくすることが有利である。ジョーと尖端部との間でシャットルが押し戻された場合、シャットルがジョーから滑り落ちる危険はない。この特徴は、シャットルが動かなくなる危険を防止できる。
ジャック機構のハーネスのより糸と通糸とを固定するための取外し可能なカラーの、添付した図面に示した実施形態の下記記載に基づいて、本発明はよりいっそう理解され、かつその他の利点をよりいっそう明瞭になるであろう。
第１図は、ジャック機構のハーネスの一般的な配置を概略的に示し、
第２図は、本発明に従うカラーを構成する２つの部材の一部切欠斜視図であり、
第３図から第６図までは、カラーの操作過程の連続的なステップを示す、軸方向の拡大断面図である。
第１図において、符号１は、構体２によって織機の上方で保持された、ベルドール或いはジャカード型の織成機構を示す。通常、機構１のより糸３の各々は、取外し可能なカラー４を用いて１本或いは幾つかの通糸５と固定され、この通糸５は、図示しない織機の下方に位置する基板１０に固定された復帰スプリング９に固着される以前に、孔付きボード６を横切り、このボードの下方において各々の糸は目板７を貫通しかつ１つの綜目８が設けられている。
各カラー４は２つの構成部材、即ち、１本或いは幾つかの通糸５を一体的な１つの雌部材１１と、下方の部分が雌部材１１と相互に作用し合う雄部材或いはフェルール１２とから構成される。
図示したように、雌部材１１は管状で、円筒形の部材から構成されかつその上面に開口している。この部材は、弾性変形可能で半硬質のプラスチック材料をキャスティングすることにより得られる。この部材の上面の開口部の下方に、雌部材１１が長手方向の打抜きスロットを備え、このスロットが互いに対置された２つのチャック１３を形成し、一方のチャックは他方のチャックと独立しており、これらのチャックの下端部分は、僅かに凹状のノズル或いはジョー１３ａを形成するように湾曲している。
雄部材１２は硬質のプラスチック材料の円筒形の部材から構成され、この部材の下端部分が尖端部１２ａを形成している。雄部材１２の尖端部１２ａと環状のショルダー部１２ｃとの間において、この尖端部１２ａから上方に延びる小径の円筒ロッド１２ｂ上を割りリングから構成されたシャットル１４が自由に滑動する。この割りリングは一時的な弾性変形により円筒ロッド１２ｂに係合可能である。雄部材１２の上方の部分が、機構からの１本のより糸３の先端部分を取込みかつ保持するために軸方向に深く窪んでいる。同様に、リングの雌部材１１の下方部分が１本或いは幾つかの通糸５の先端を受入れかつ保持するように形成されている。
機構１が操作モードである場合、本発明のカラー４の各々は第３図に示すように結合位置にある。尖端部１２ａは雌部材１１に係合し、そして下方のジョー１３が尖端部のすぐ上方に位置するような軸方向の位置に位置決めされるので、この尖端部は、部材１１及び１２の分離を防止する場所に保持される。従って、チャック１３は閉鎖位置にある。
ジョー１３ａがチャック１３の湾曲した先端部分から形成されているため、尖端部１２ａの背面部に対するジョーの支承範囲がほぼ半径方向になる。従って、尖端部がシフトする場合、各チャック１３が撓みを生じるように作用し、このことは、チャック１３の製造に用いられる半硬質のプラスティク材料の機械的特性と合致している。これは、チャックがその縁部で尖端部の背面部に載っている機構において特に有利である。何故なら、その時ジョーは、織機及び周囲機器の振動により、同様にハーネスの重量により生じる変形を伴うものだからである。このことは、チャックが折れたり、或いはシャットルが詰まって動けなくなる危険のある方向にチャックが歪められたりすることをもたらす。
さらに、尖端部１２ａの背面部におけるジョー１３ａの支承範囲がほぼ半径方向であるということは、上述の振動或いは負荷によって生じる早期の消耗及び引き裂けをもたらせ得るという、ジョー１３ａのとがった斜面或いは縁部が尖端部１２ａに載らないということである。従って、尖端部１２ａと相対的なジョー１３ａの配置は、カラーに与えられる相当な機械的ストレスに耐えることができる。
尖端部１２ａの背面部は、その動作軸方向に対して垂直ではなく、水平線に対して正の角度、即ち尖端部が矢状に形成されているならば、機構が第３図に示された位置にある場合、ジョー１３ａの外面の範囲と先端部の背面部とが互いにほぼ平行な状態で当接するように、ジョー１３ａの外側の範囲が調整可能であるということが理解できる。
カラー４を分解しようとする時はいつでも、オペレーターは部材１１及び１２をより接近させるために、この部材に圧縮力を働かせる。この運動によって、チャック１３のジョー１３ａが円筒ロッド１２ｂに沿って滑動し、シャットル１４の非常に僅かな持ち上げを生じる。
部材１１と１２とを接近させる軸方向の運動を続けると、第４図に示したように、所定の時間でシャットル１４がその変位の上端に達し、環状のショルダー部１２ｃと当接する。従って、シャットルの下端に設けられ、面取りがなされた縁部１４ａによってジョー１３ａが拡げれらた後、ジョー１３ａがシャットルを把持し、このシャットルはチャック１３及び雌部材１１と確実に結束される。従って、チャックは開口位置にある。
シャットル１４の面取りがなされた縁部１４ａは、ジョー１３ａを容易に拡げることに役立ち、かつ湾曲されたジョー１３ａと面取りがなされた縁部１４ａとの組み合わせによって、僅かな軸方向の動作によりジョーの半径方向のかなりの動作が得られ、その結果、最小である全体空間を重視したスパンの有効な寸法が得られる。このことは、最も減少した全範囲面を占めるとともに、互いに干渉してはならない大多数の構成要素を考慮に入れてジャカード機構のハーネスにおいて主に考慮すべき問題を構成する。
また、チャック１３の閉鎖位置では、円筒ロッド１２ｂと相対的なジョー１３の範囲は面取りがなされた縁部１４ａの方向に拡げられている。このことは、チャック１３を拡げることに役立ち、そのため、チャック１３と縁部１４ａとの間で係合しやすくなる。
第４図及び第５図に示したように、チャック１３の開放位置では雄部材１２の円筒ロッド１２ｂに対するジョー１３ａの支承範囲はほぼ軸方向となる。チャック１３が半硬質であるため、把持力はほぼ半径方向となる。このことは、シャットル１４が円筒ロッド１２ｂに沿って軸方向に移動しないことを示す。従って、シャットル１４がジョー１３ａによって所定の位置にしっかりと保持され、かつショルダー部１２ｃ方向への軸方向力によってシャットルが動かされるという危険はない。
さらに、第４図に示したように、雄部材１２の上方のショルダー部１２ｄが雌部材１１の上端部に載せられた際、シャットル１４がジョー１３ａと尖端部１２ａの背面部との間で挟まって動けなくなることを防止するために、シャットルの長さＬはジョー１３ａの外側の範囲と尖端部１２ａの背の部分との間の距離ｌより大きくする。
雌部材１１の上縁部が、１番目のショルダー部１２ｃの上方の位置する２番目の環状のショルダー部１２ｄに当接した時、オペレーターは軸方向に引っ張り、そして、部材１１及び１２を互いに切り離すようにする。その結果、未だジョー１３ａによって把持されているシャットル１４は円筒ロッド１２ｂに沿って下方へ移動する。第５図に示したように、切り離し動作の所定の個所でシャットル１４は尖端部１２ａの上方の範囲で当接して停止し、ジョー１３ａは尖端部１２ａの最も大きな寸法部分で把持が開放される。何故なら、前記ジョーの高さはシャットルの面取りがなされた縁部１４ａの高さよりも高いためである。
第３図から第６図までに示したように、２つのショルダー部１２ｃ及び１２ｄの間に位置する雄部材１２の円筒部分と、雌部材１１の環状の開口部との間の半径方向の遊びは、円筒部分と開口部との間のスパンが雌部材１１における雄部材１１用の軸方向のガイドとして役立つという目的でかなり僅かである。この軸方向のガイドは、先ず、機構の作動中の各構成要素の最適な整合を維持する。従って、ジョーの支持部の高さレベルでの最適な幾何学形状を確実に得ることができ、そして各構成要素の早期の消耗及び引き裂けを防止することができる。さらに、この軸方向のガイドは、機構の動作の間中シャットル１４がジョー１３ａと相対的な雌部材１１の軸と正しく整合されないということを防止する。それに対して、欠陥のある整合はどれでも、シャットル１２が挟まって動けなくなること、及びカラーが動けなくなるという結果を招く。
２つの部材１１及び１２の分離動作を連続することにより、第２図に示したようにそれらが分離される。
最後に、カラーからこれら２つの部材を切り離すことは、２つの相反する方向での軸方向の動作をもたらす。このことは結合する場合についても同様である。何故なら、カラーの２つの部材を軸方向で係合する場合、先ず、尖端部１２ａの端部と平行にジョー１３ａが引き離され、その時、第６図に示したように、シャットル１４が持ち上げられる。次いでジョーは、第３図に示したように尖端部１２ａの上方でシャットルを囲んでロックされることがわかる。
カラーの雌部材１１による把持が単に１つ或いはそれ以上のチャックからなることが理解できる。全ての例におけて、結合すること、同様に分離することのカラーの操作は、慣用のスナップ結合の操作と比べて簡単になされるということが認められる。即ち、そのような簡単化は、機構の全てのカラーの同時取扱い操作ための自動化を促進する。
さらに、前述した記載は、単に例として挙げたものであり、また、たとえ製造のための上記詳細な記載が類似の他のものと置き換えられる時でさえも、予期される本発明の全ての範囲に限られるものではないことが理解できるにちがいない。特に、シャットル１４が尖端部１２ａの側に向けられた切頭円錐形に形成することにより。切離し動作の間、シャットルをジョーによって把持することがシャットルを上述の尖端部の方向にもたらし得る。
【図１】
0003718228.tif 000002
【図２】
0003718228.tif 000003
【図３】
0003718228.tif 000004
【図４】
0003718228.tif 000005
【図５】
0003718228.tif 000006
【図６】
0003718228.tif 000007